(57)【要約】【課題】本発明によれば、動画像の妨害感の発生及び画像の明るさの低下を抑制することのできる技術を提供する。【解決手段】  本発明の画像表示装置は、線順次走査型の表示パネルと、メイン画像のフレームと、メイン画像よりも暗いＮ枚（Ｎは１以上の整数）のサブ画像のフレームとを含む映像信号を表示パネルに出力する画像処理回路と、を有し、メイン画像とサブ画像は、同一の画像から生成された画像であり、画像処理回路は、メイン画像のフレームにおける水平走査期間がサブ画像のフレームにおける水平走査期間よりも長くなるようにそれぞれの水平走査期間の長さを設定する設定手段を有する。【選択図】図１
2011059312.tif 000002
【特許請求の範囲】
【請求項１】
線順次走査型の表示パネルと、
メイン画像のフレームと、前記メイン画像よりも暗いＮ枚（Ｎは１以上の整数）のサブ画像のフレームとを含む映像信号を前記表示パネルに出力する画像処理回路と、
を有し、
前記メイン画像と前記サブ画像は、同一の画像から生成された画像であり、
前記画像処理回路は、
前記メイン画像のフレームにおける水平走査期間が前記サブ画像のフレームにおける水平走査期間よりも長くなるようにそれぞれの水平走査期間の長さを設定する設定手段
を有する
ことを特徴とする画像表示装置。
【請求項２】
前記画像処理回路は、
入力された映像信号が、前記メイン画像のフレームと、前記Ｎ枚のサブ画像のフレームとを含む映像信号でない場合に、前記入力された映像信号の１フレームから前記メイン画像のフレーム及び前記Ｎ枚のサブ画像のフレームを生成する生成手段
を更に有し、
前記メイン画像及び前記サブ画像は、前記入力された映像信号のフレームの画像の明るさを互いに異なる低下率で低下させることによって得られる画像である
ことを特徴とする請求項１に記載の画像表示装置。
【請求項３】
前記生成手段は、前記入力された映像信号の１フレームから生成するフレーム数に基づいて、前記メイン画像及び前記サブ画像のそれぞれの低下率を決定する
ことを特徴とする請求項２に記載の画像表示装置。
【請求項４】
前記設定手段は、前記メイン画像と前記サブ画像の明るさの比に対応するように、それぞれの水平走査期間の長さを設定する
ことを特徴とする請求項１〜３のいずれか１項に記載の画像表示装置。
【請求項５】
前記メイン画像のフレームと前記Ｎ枚のサブ画像のフレームからなるフレーム群におけるフレームの総数と前記メイン画像と前記サブ画像の明るさの比とが関連付けられたテーブルを有し、
前記設定手段は、前記表示パネルに出力する映像信号の前記フレーム群における前記フレームの総数に対応する前記明るさの比に対応するように、それぞれの水平走査期間の長さを設定する
ことを特徴とする請求項４に記載の画像表示装置。
【請求項６】
前記メイン画像のフレームにおける水平走査期間は、前記サブ画像のフレームにおける水平走査期間よりも１．２倍以上長い
ことを特徴とする請求項１〜５のいずれか１項に記載の画像表示装置。
【請求項７】
線順次走査型の表示パネルを有する画像表示装置の制御方法であって、
メイン画像のフレームと、前記メイン画像よりも暗いＮ枚（Ｎは１以上の整数）のサブ画像のフレームとを含む映像信号であって、前記メイン画像と前記サブ画像が同一の画像から生成された画像である映像信号に対して、前記メイン画像のフレームにおける水平走査期間が前記サブ画像のフレームにおける水平走査期間よりも長くなるようにそれぞれの水平走査期間の長さを設定するステップと、
前記設定するステップで設定された水平走査期間にしたがって、前記映像信号を前記表示パネルに出力するステップと、
を有することを特徴とする画像表示装置の制御方法。
【発明の詳細な説明】
【技術分野】
【０００１】
本発明は画像表示装置およびその制御方法に関する。
【背景技術】
【０００２】
従来、画像表示装置としてインパルス型の画像表示装置やホールド型の画像表示装置がある。インパルス型の画像表示装置には、表示素子の点灯時間が短いために明滅がフリッカとして知覚されるという特徴がある。そのようなフリッカは、例えば、フレーム周波数を高くすること（単位時間当たりに表示する画像の数を増やすこと）で抑制できる。しかしながら、動画像において同じフレームを２回続けて出力（二度書き）すると、動きが二重に見えてしまい、それが妨害感として認識されてしまう。
一方、ホールド型の画像表示装置において、動画ボケを抑制する方法が、特許文献１，２に開示されている。
具体的には、特許文献１には、フレーム期間（１枚のフレームを表示する期間）を２つの期間（第１期間と第２期間）に分割し、第１期間（時間的に前の期間）に画素データを集中的に書き込むことが開示されている。また、第１期間で書き込むべき画素データのうち表示可能なダイナミックレンジを超えた分を第２期間（時間的に後の期間）に書き込むことが開示されている。
特許文献２には、１枚のフレームを、そのままの高域成分を含むメイン画像のフレームと、高域成分が変更されたサブ画像のフレームとに分割して、フレーム周波数を高くすることが開示されている。
【０００３】
特許文献１，２などの技術をインパルス型の画像表示装置に使用した場合、分割後のフレーム期間の長さが制限されるため、表示画像が暗くなってしてしまう虞がある。具体的には、１枚のフレームから２枚のフレームを生成する場合、フレーム期間は元のフレーム期間の半分となる。そのため、メイン画像とサブ画像とで明るさに差をつけようとすると、元の画像に比べ明るさを低下させなければならない場合がある。また、特許文献１に開示の方法では、第１期間で書き込むべき画素データのうち表示可能なダイナミックレンジを超えた分が第２期間に書き込まれるため、高い輝度値の画素データについては二度書きとなり、動画像の妨害感となる虞がある。
【先行技術文献】
【特許文献】
【０００４】
【特許文献１】特開２００４−２４０３１７号公報
【特許文献２】特開２００２−３５１３８２号公報
【発明の概要】
【発明が解決しようとする課題】
【０００５】
本発明は、動画像の妨害感の発生及び画像の明るさの低下を抑制することのできる技術を提供することを目的とする。
【課題を解決するための手段】
【０００６】
本発明の画像表示装置は、線順次走査型の表示パネルと、メイン画像のフレームと、メイン画像よりも暗いＮ枚（Ｎは１以上の整数）のサブ画像のフレームとを含む映像信号を表示パネルに出力する画像処理回路と、を有し、メイン画像とサブ画像は、同一の画像から生成された画像であり、画像処理回路は、メイン画像のフレームにおける水平走査期間がサブ画像のフレームにおける水平走査期間よりも長くなるようにそれぞれの水平走査期間の長さを設定する設定手段を有する。
【０００７】
本発明の画像表示装置の制御方法は、線順次走査型の表示パネルを有する画像表示装置の制御方法であって、メイン画像のフレームと、メイン画像よりも暗いＮ枚（Ｎは１以上の整数）のサブ画像のフレームとを含む映像信号であって、メイン画像とサブ画像が同一の画像から生成された画像である映像信号に対して、メイン画像のフレームにおける水平走査期間がサブ画像のフレームにおける水平走査期間よりも長くなるようにそれぞれの水平走査期間の長さを設定するステップと、設定するステップで設定された水平走査期間にしたがって、映像信号を表示パネルに出力するステップと、を有する。
【発明の効果】
【０００８】
本発明によれば、動画像の妨害感の発生及び画像の明るさの低下を抑制することのできる技術を提供することができる。
【図面の簡単な説明】
【０００９】
【図１】パルス幅制限及び時間分配による駆動波形の一例を示す図。
【図２】輝度分配ブロックの構成の一例を示す図。
【図３】輝度分配ブロックの各信号の入出力の関係の一例を示す図。
【図４】時間分配ブロックの構成の一例を示す図。
【図５】フレーム長設定回路の各信号の入出力の関係の一例を示す図。
【図６】時間分配ブロックの各信号の入出力の関係の一例を示す図。
【図７】パルス幅変調方式による変調信号の波形（駆動波形）の一例を示す図。
【図８】本実施形態に係る画像表示装置の構成の一例を示す図。
【図９】輝度分配ブロックの各信号の入出力の関係の一例を示す図。
【図１０】輝度分配による駆動波形の一例を示す図。
【図１１】パルス幅を制限するための回路構成の一例を示す図。
【発明を実施するための形態】
【００１０】
以下、本発明の実施形態に係る画像表示装置およびその制御方法について説明する。本実施形態に係る画像表示装置は、線順次走査型の表示パネルと、画像処理回路とを有する。画像処理回路は、メイン画像のフレームと、メイン画像と同じ内容でメイン画像よりも暗いＮ枚（Ｎは１以上の整数）のサブ画像のフレームとを含む映像信号を表示パネルに出力する。ここで、「メイン画像とサブ画像の内容が同じ」とは、メイン画像とサブ画像との間で動きが無いこと、もしくは実質的に無いこと、を意味する。具体的には、メイン画像とサブ画像は、同一の画像から生成された画像であり、明るさや周波数成分のみ異なっている。
なお、本発明は、インパルス型の画像表示装置やホールド型の画像表示装置に適用することができるが、輝度の低下を抑制できるという観点から、インパルス型の画像表示装置に好ましく適用できる。
また、入力された映像信号は、メイン画像のフレームとＮ枚のサブ画像のフレームとを含む映像信号であってもよいし、そうでなくてもよい。以下の実施例では、入力された映像信号は、メイン画像のフレームとＮ枚のサブ画像のフレームとを含む映像信号でないものとする。そして、画像処理回路が、そのような場合に、入力された映像信号の１フレームからメイン画像のフレーム及びＮ枚のサブ画像のフレームを生成する機能を有するものとする。生成されるメイン画像及びサブ画像は、入力された映像信号フレームの画像の明るさを互いに異なる低下率で低下させることによって得られる画像である。このように、１フレームの画像を明るさの異なる複数の画像に分割（分配）する駆動方法を「輝度分配」とよぶ。
【００１１】
＜実施例１＞
（全体構成）
以下、本発明の実施例１として、２倍速駆動する画像表示装置（Ｎ＝１の場合）について説明する。
図８は、本実施例に係る画像表示装置の構成の一例を示す図である。図８の画像表示装置では、スキャンドライバ８０１（走査回路）と、データドライバ８０４（変調回路）により複数の表示素子が線順次駆動される。図２の輝度分配ブロックと図４の時間分配ブロックからなる画像処理装置（画像処理回路）８０６は、入力画像データＳ８０５とその同期信号から出力画像データとその同期信号を生成し出力する。同期信号は、１フレームの開始と終了（フレーム期間）を示す垂直同期信号Ｖｓｙｎｃと、１水平走査期間の開始と終了を示す水平同期信号Ｈｓｙｎｃとを含む。入力画像データは、入力された映像信号の１フレーム分の画像データ（フレームデータ）であり、出力画像データは、出力する映像信号の１フレーム分の画像データである。出力画像データの同期信号は、タイミングコントローラ８０７に出力される。タイミングコントローラ８０７は、スキャンドライバ８０１、データドライバ８０４から各素子への出力画像データの出力タイミングを制御する。出力画像データは、同期信号に同期してデータドライバ８０４に出力される。スキャンドライバ８０１は同期信号に同期して走査信号を出力する。データドライバ８０４は、出力画像データに応じて変調信号を出力する。以上の動作により、ディスプレイ８０２に画像が表示される。図８の例では、スキャンドライバ８０１、ディスプレイ８０２、データドライバ８０４、及び、タイミングコントローラ８０７によって表示パネルが構成される。なお、表示素子は、電子放出素子、液晶素子、プラズマ素子、有機ＥＬ素子などである。
【００１２】
次に、インパルス型の画像表示装置における階調の制御方法について説明する。インパルス型の画像表示装置では、変調信号のパルス振幅、パルス幅、またはそれらの両方を変調することにより階調を制御することができる。
図７はパルス幅変調方式による変調信号の波形（駆動波形）の一例を示す。パルス幅変調方式では、階調値が高いほどパルス幅を大きくすることで輝度を高めることができる。ここで、輝度分配によりフレーム周波数を増やすと、１フレームあたりの水平走査期間（最大パルス幅）が短くなるため、輝度分配により生成された画像（分配画像（メイン画像、サブ画像））の階調値に対応するパルス幅が最大パルス幅を超えてしまう場合がある。そのような問題を解決するための方法として、最大パルス幅を超えないようにパルス幅を制限する方法が考えられる。以下、詳しく説明する。
【００１３】
図１０（ａ）は、図２の輝度分配ブロックに入力される入力画像データＳ２０２の駆動波形（変調信号の波形；Ｄｒｉｖｅ  Ｗａｖｅｆｏｒｍ）の一例を示す。図１０（ｂ）、（ｃ）は入力画像データから輝度分配により生成されるメイン画像のフレームデータ、サブ画像のフレームデータの駆動波形の一例を示す。図中、「Ｓｃａｎ  Ｗａｖｅｆｏｒｍ」は走査信号の波形を示す。なお、図２の輝度分配ブロックの詳細は後述する。
ここで、輝度分配の比率（サブ画像の明るさに対するメイン画像の明るさの比）を大きく設定すると、図１０（ｂ）の符号１００２で示すように、メイン画像を表示するための駆動波形１００１のパルス幅が水平走査期間を超えることとなる。そこで、図１１に示すような回路を用いてパルス幅を狭くする。
【００１４】
ゲイン回路１１０３には、図２の輝度分配ブロックで生成された分配画像（メイン画像、サブ画像）のフレームデータＳ２１０が入力される。図１１の制限値Ｓ１１０１は、水平走査期間によって決まる最大パルス幅である。メイン画像を表示するための駆動波形のパルス幅が制限値Ｓ１１０１を超える場合には、ゲイン計算回路１１０２が、パルス幅が制限値Ｓ１１０１を超えないようにするためのゲイン値を算出し、ゲイン回路１１０３に出力する。ゲイン回路１１０３では、フレームデータＳ２１０にゲイン計算回路１１０２で算出されたゲイン値をかけて、出力画像データＳ１１０４を出力する。それにより、メイン画像を表示するための駆動波形は、図１０（ｂ）の駆動波形１００１から図１（ａ）の駆動波形１０１のようになる（パルス幅が最大パルス幅以下となる）。また、サブ画像
を表示するための駆動波形は、図１０（ｃ）の駆動波形１００３から図１（ｂ）の駆動波形１０２のようになる（駆動波形１００１のパルス幅の制限に伴って、駆動波形１００３のパルス幅も制限される）。それにより、輝度分配の比率が保たれる。このような方法により、動画像の妨害感を発生することなくフレーム周波数を高くすることができる。しかしながら、このような方法では、ゲイン値によってパルス幅を小さくしているため、元の画像（入力画像データによって表示される画像）より暗い画像が表示されてしまうという問題がある。
【００１５】
パルス幅変調するインパルス型の画像表示装置で、動画像の妨害感および明るさの低下を抑えて輝度分配を実施するには、メイン画像を規定値より明るく表示する必要がある。変調信号の絶対定格はディスプレイ固有の特性で決定するので、パルス幅を大きくすることでしか、より高い輝度を得ることができない。そこで、本実施例では、図４の時間分配ブロックにより、メイン画像のフレームにおける水平走査期間がサブ画像のフレームにおける水平走査期間よりも長くなるようにそれぞれの水平走査期間の長さを設定する。
それにより、図１（ｃ）の駆動波形１０３に示すように、駆動波形のパルス幅をより大きくすることができる。一方、メイン画像のフレームにおける水平走査期間とサブ画像のフレームにおける水平走査期間の長さの合計は、入力された映像信号の１フレームにおける水平走査期間の長さと等しくならなければならない。そのため、メイン画像のフレームにおける水平走査期間の長さを長くした分、サブ画像のフレームにおける水平走査期間を短くする必要がある。これによりサブ画像を表示するための駆動波形の最大パルス幅は小さくなり、サブ画像の明るさが制限される。しかしながら、サブ画像はもともと暗い画像であるため、メイン画像のフレームにおける水平走査期間を必要となる最大階調に合わせれば、図１（ｄ）の駆動波形１０４に示すように、サブ画像を表示するための駆動波形のパルス幅が水平走査期間を超えることはない。以下、より詳しく説明する。
【００１６】
（輝度分配）
本実施例では、図２の輝度分配ブロックにより、入力された映像信号の１フレームから１枚のメイン画像のフレームと１枚のサブ画像のフレームを生成する。具体的には、入力された映像信号の１フレームから生成するフレーム数（分割数Ｓ２０３）に基づいてメイン画像及びサブ画像のそれぞれの低下率を決定する（本実施例では分割数Ｓ２０３は２である）。そして、決定した低下率でメイン画像のフレームとサブ画像のフレームを生成する。
まず、入力画像データＳ２０２及びその同期信号Ｓ２０１が周波数変換回路２０４に入力される。また、分割数Ｓ２０３が周波数変換回路２０４及び低下率テーブル２０５に入力される（分割数Ｓ２０３はユーザが設定してもよいし、予め定められていてもよい）。そして、周波数変換回路２０４が、分割数Ｓ２０３に応じてフレーム周波数を変換する。本実施例ではフレーム周波数が入力時の２倍（分割数倍）に変換される。低下率テーブル２０５は、メイン画像のフレームとＮ枚のサブ画像のフレームからなるフレーム群におけるフレームの総数（即ち、分割数）と、メイン画像とサブ画像の明るさの比とが関連付けられたテーブルである。具体的には、低下率テーブル２０５は、分割数とサブ画像の低下率とが関連付けられたテーブルである（それにより結果的に、分割数とメイン画像とサブ画像の明るさの比とが関連付けられる）。
【００１７】
そして、周波数変換回路２０４は、周波数変換処理が施された同期信号Ｓ２０９（フレーム期間、水平走査期間が入力時の半分の期間である信号）をスイッチ回路２０８へ出力し、入力画像データＳ２０２を差分検出回路２０７及び乗算回路２０６へ出力する。低下率テーブル２０５は、分割数Ｓ２０３（＝２）に関連付けられている低下率を乗算回路２０６へ出力する。
乗算回路２０６は、入力画像データＳ２０２の明るさを入力された低下率で低下させる（入力画像データＳ２０２の各画素値に入力された低下率をかける）ことにより、サブ画
像のフレームデータを生成する。サブ画像のフレームデータは、差分検出回路２０７及びスイッチ回路２０８に出力される。
差分検出回路２０７は、入力画像データＳ２０２からサブ画像のフレームデータを減算することにより、メイン画像のフレームデータを生成する。メイン画像のフレームデータは、スイッチ回路２０８に出力される。
【００１８】
スイッチ回路２０８は、同期信号Ｓ２０９に従って、フレームデータを切り替えて出力する。スイッチ回路２０８は、同期信号Ｓ２０９を出力する。また、スイッチ回路２０８は、出力されたフレームデータがメイン画像のフレームデータなのかサブ画像のフレームデータなのかを容易に判断可能とするためのメインサブ識別信号Ｓ２１１を出力する。メインサブ識別信号Ｓ２１１は、垂直同期信号Ｖｓｙｎｃにおけるメイン画像の開始を示す立ち上がりと同時にＨとなり、サブ画像の開始を示す立ち上がりと同時にＬとなる信号である。図２の各信号の入出力の関係を図３に示す（水平同期信号Ｈｓｙｎｃは省略している）。図３では、画像データ（フレームデータ）をＤＡＴＡ、メインサブ識別信号をＭＦＲと示している。なお、メイン画像とサブ画像はどちらを先に出力してもよい。
【００１９】
なお、本実施例では、低下率が低下率テーブル２０５に予め記憶されているものとしたが、低下率やメイン画像とサブ画像の明るさの比は外部から入力されてもよい（ユーザが設定してもよい）。入力画像データＳ２０２の特徴に基づいて算出されてもよい。
なお、本実施例では、入力画像データＳ２０２からサブ画像のフレームデータを減算することによりメイン画像のフレームデータを算出（生成）するものとしたが、メイン画像フレームデータの生成方法はこれに限らない。メイン画像の低下率を設定（取得）することができれば、その低下率を入力画像データＳ２０２にかけることによってメイン画像のフレームデータを生成することができる。但し、そのような場合には、各分配画像のフレームにおける水平走査期間の合計が入力画像データＳ２０２のフレームにおける水平走査期間を超えないように、それぞれの低下率を設定する必要がある。
なお、本実施例では分割数とサブ画像の低下率とが関連付けられたテーブルを低下率テーブル２０５としたが、分割数とメイン画像の低下率とが関連付けられたテーブルを低下率テーブル２０５としてもよい。分割数とメイン画像及びサブ画像の低下率とが関連付けられたテーブルや、分割数と、メイン画像とサブ画像の明るさの比とが関連付けられたテーブルを低下率テーブル２０５としてもよい。
【００２０】
（時間分配）
次に、輝度分配されたフレームデータの水平走査期間を適切に設定する方法を説明する。図４は時間分配ブロックの一例を示す。
フレーム周期変換回路４０２には、輝度分配ブロックで生成された分配画像のフレームデータＳ２１０が入力される。
フレーム長設定回路４０１には、輝度分配ブロックで生成された同期信号Ｓ２０９及びメインサブ識別信号Ｓ２１１、及び、図２の輝度分配ブロックに入力された分割数Ｓ２０３が入力される。
【００２１】
フレーム長設定回路４０１は、メイン画像とサブ画像の明るさの比に対応するように、それぞれの水平走査期間の長さを設定する（同期信号の間隔を変更する）。具体的には、メイン画像、サブ画像の明るさから、それぞれ、メイン画像、サブ画像を表示するために必要な最大パルス幅が決まり、必要な水平走査期間が決まる。本実施例では、分割数と、メイン画像とサブ画像の明るさの比とが予め関連付けられているため、フレーム長設定回路４０１は、分割数Ｓ２０３に対応する上記明るさの比に対応するように、それぞれの水平走査期間の長さを設定する。なお、フレーム長設定回路４０１は、入力されたフレームデータがメイン画像のフレームデータなのかサブ画像のフレームデータなのかを、メインサブ識別信号Ｓ２１１により判断する。変更された同期信号はフレーム周期変換回路４０
２に出力される。フレーム長設定回路４０１の各信号の入出力の関係を図５に示す。
【００２２】
フレーム周期変換回路４０２は、フレーム長設定回路４０１で変更された同期信号に同期して、輝度分配ブロックで生成された分配画像のフレームデータを出力する。また、フレーム周期変換回路４０２は、フレーム長設定回路４０１で変更された同期信号を出力する。なお、輝度分配ブロックでは、フレーム期間を２等分して出力するため、フレーム長設定回路４０１で設定される水平走査期間によっては、フレーム間のブランキング期間やメイン画像のフレーム期間中にデータの競合が生じる。そのため、入力された映像信号の１フレームから生成された分配画像のフレームデータの全部をフレームメモリ４０３に一旦記憶させる。そして、フレーム周期変換回路４０２は、分配画像のフレームデータをフレームメモリ４０３から読み出して出力する。
【００２３】
時間分配ブロックの各信号の入出力の関係を図６に示す（水平同期信号Ｈｓｙｎｃは省略している）。図５，６に示すように、本実施例によれば、メイン画像とサブ画像の明るさの比に対応するように、それぞれの水平走査期間の長さ（水平同期信号Ｈｓｙｎｃ，垂直同期信号Ｖｓｙｎｃの立ち上がりの間隔）が設定される。具体的には、サブ画像よりもメイン画像の方が明るいため、メイン画像のフレームにおける水平走査期間が長くされ、サブ画像のフレームにおける水平走査期間が短くされる。それにより、メイン画像を明るさを落とさずに（輝度分配ブロックで生成されたままの状態で）表示することができる。また、メイン画像とサブ画像の明るさの比は保たれるため、動画像の妨害感の発生を抑制することができる。
なお、本発明者らは、サブ画像の明るさに対するメイン画像の明るさの比が１．２以上であれば、動画像の妨害感を低減できることを実験により確認している。よって、メイン画像のフレームにおける水平走査期間がサブ画像のフレームにおける水平走査期間よりも１．２倍以上長いことが好ましい。そのようにすれば、輝度分配によって動画像の妨害感をより低減することができる。なお、理論上は、メイン画像のフレームにおける水平走査期間がサブ画像のフレームにおける水平走査期間よりも１．２倍以上長ければよく、特に上限は制限されない。しかし、現実的にはメイン画像のフレームにおける水平走査期間はサブ画像のフレームにおける水平走査期間の５倍よりも短く設定される。
【００２４】
なお、本実施例では、メイン画像とサブ画像の明るさの比に対応するように、それぞれの水平走査期間の長さを設定する構成としたが、水平走査期間の設定方法はこれに限らない。メイン画像のフレームにおける水平走査期間をサブ画像のフレームにおける水平走査期間より長くすればどのように設定してもよい。メイン画像のフレームにおける水平走査期間をサブ画像のフレームにおける水平走査期間より長くすれば、メイン画像のフレームにおける水平走査期間とサブ画像のフレームにおける水平走査期間が等しい場合に比べメイン画像をより明るくすることができる。
なお、本実施例では、垂直同期信号Ｖｓｙｎｃ及び水平同期信号Ｈｓｙｎｃに従ってフレームデータを出力する構成としたが、フレームデータの出力はＤＥ（Ｄｉｓｐｌａｙ  Ｅｎａｂｌｅ）によって制御されてもよい。
【００２５】
なお、本実施例では変調方式がパルス幅変調方式である場合について説明したが、変調方式はパルス振幅変調方式であってもよいし、パルス幅とパルス振幅の両方を変調する方式であってもよい。具体的には、パルス振幅変調方式では、パルス振幅を大きくすることで階調値を高めることができるが、パルス振幅の最大値は絶対定格により制限されてしまう。本実施例の構成によれば、パルス振幅変調方式や、パルス幅とパルス振幅の両方を変調する方式であっても、時間分配によってパルス幅を大きくすることにより、得られる輝度を高くすることができるため、上記効果を得ることができる。
なお、本実施例では、メイン画像とサブ画像とで明るさのみが異なる場合について説明したが、ローパスフィルタ（ＬＰＦ）やハイパスフィルタ（ＨＰＦ）を用いて、メイン画
像とサブ画像とで周波数成分を異ならせてもよい。例えば、サブ画像の高周波成分を低減することで二重像の妨害感の更なる低減が可能となる。
【００２６】
＜実施例２＞
実施例１では、２倍速駆動する画像表示装置（Ｎ＝１の場合）について説明した。本実施例では、複数のサブ画像のフレームデータを生成する場合について説明する。具体的には、Ｎ＝３の例について説明する。なお、実施例１と同様の機能、構成については説明を省略する。
【００２７】
（輝度分配）
まず、図２の輝度分配ブロックで、入力画像データＳ２０２から１枚のメイン画像のフレームと３枚のサブ画像のフレームとを生成する。大まかな処理の流れは実施例１と同様であるが、本実施例では分割数Ｓ２０３として４が入力される。そして、低下率テーブル２０５は、メイン画像のフレームデータを出力する（スイッチ回路２０８が同期信号Ｓ２０９に同期してメイン画像のフレームデータの出力を選択した）場合に、サブ画像の低下率の合計を出力する。具体的には、分割数Ｓ２０３（＝４）に関連付けられている低下率に、分割数Ｓ２０３から１を減算した値（即ち、Ｎ）を乗算した値を出力する。そのような値を乗算回路２０６で入力画像データＳ２０２に乗算し、乗算回路２０６の出力を差分検出回路２０７で入力画像データＳ２０２から減算することにより、メイン画像のフレームデータが生成される。一方、サブ画像のフレームデータを出力する場合には、実施例１と同様に、低下率テーブル２０５が分割数Ｓ２０３に関連付けられている低下率を出力する。そして、乗算回路２０６が入力画像データＳ２０２に該低下率を乗算することにより、サブ画像のフレームデータが生成される。
スイッチ回路２０８は、初めにメイン画像のフレームデータの出力を選択し、その後サブ画像のフレームデータの出力を３回続けて選択する（入力画像データＳ２０２から生成された全分配画像のフレームデータが出力されれば、順番はこれに限らない）。
メインサブ識別信号Ｓ２１１は、垂直同期信号Ｖｓｙｎｃにおけるメイン画像の開始を示す立ち上がりと同時にＨとなり、サブ画像の開始を示す立ち上がりと同時にＬとなる。即ち、３枚のサブ画像のフレーム期間では、メインサブ識別信号Ｓ２１１はＬとなる。
図２の各信号の入出力の関係を図９に示す（水平同期信号Ｈｓｙｎｃは省略している）。
【００２８】
なお、メイン画像の低下率を設定（取得）し、その低下率を用いて入力画像データＳ２０２からメイン画像のフレームデータを直接生成してもよい。また、３枚のサブ画像の低下率は互いに異なっていてもよい。
【００２９】
（時間分配）
時間分配ブロックの構成は実施例１と同様である。時間分配ブロックでは、輝度分配ブロックで生成された各信号及び分割数Ｓ２０３が入力され、実施例１と同様に各分配画像のフレームにおける水平走査期間を設定し（同期信号を変更し）、各分配画像のフレームデータおよび変更された同期信号を出力する。
本実施例の構成によれば、分割数によらず動画像の妨害感の発生及び画像の明るさの低下を抑制することができる。
【００３０】
以上述べたように、本実施形態に係る画像表示装置およびその制御方法によれば、メイン画像のフレームにおける水平走査期間がサブ画像のフレームにおける水平走査期間よりも長くなるように、それぞれの水平走査期間が設定される。それにより、メイン画像としてより明るい画像を表示することが可能となるため、動画像の妨害感の発生及び画像の明るさの低下を抑制することが可能となる。
【符号の説明】
【００３１】
８０２  ディスプレイ
８０６  画像処理装置
【図１】
2011059312.tif 000003
【図２】
2011059312.tif 000004
【図３】
2011059312.tif 000005
【図４】
2011059312.tif 000006
【図５】
2011059312.tif 000007
【図６】
2011059312.tif 000008
【図７】
2011059312.tif 000009
【図８】
2011059312.tif 000010
【図９】
2011059312.tif 000011
【図１０】
2011059312.tif 000012
【図１１】
2011059312.tif 000013